【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
配列番号２ｎからなる群より選択される配列決定されたアミノ酸の成熟型を含む単離ポリペプチドであって、ｎは１ないし８８の整数である、ポリペプチド。
【請求項２】
配列番号２ｎからなる群より選択されるアミノ酸配列を含む単離ポリペプチドであって、ｎは１ないし８８の整数である、ポリペプチド。
【請求項３】
配列番号２ｎからなる群より選択されるアミノ酸配列に少なくとも９５％同一である、アミノ酸配列を含む単離ポリペプチドであって、ｎは１ないし８８の整数である、ポリペプチド。
【請求項４】
配列番号２ｎからなる群より選択されるアミノ酸配列における１または2以上の保存的置換を含むアミノ酸配列を含む単離ポリペプチドであって、ｎは１ないし８８の整数である、ポリペプチド。
【請求項５】
天然に存在する、請求項１のポリペプチド。
【請求項６】
請求項１のポリペプチドおよび担体を含む組成物。
【請求項７】
１または2以上の容器中に、請求項６の組成物を含むキット。
【請求項８】
ヒト疾患に付随する症候群を処置するための医薬の製造における治療剤の使用であって、該疾患は請求項１のポリペプチドと連関する病理から選択され、該治療剤が請求項１のポリペプチドを含む、使用。
【請求項９】
試料中の請求項１のポリペプチドの存在または量を決定する方法であって、該方法は：
（ａ）当該試料を提供し、
（ｂ）当該試料を、該ポリペプチドに免疫特異的に結合する抗体に導入し、および
（ｃ）当該ポリペプチドに結合した抗体の存在または量を決定し、それによって当該試料中のポリペプチドの存在または量を決定する、
ことを含む方法。
【請求項１０】
第一哺乳動物対象中の請求項１のポリペプチドの発現の変更レベルと連関する疾患の存在または素因を決定する方法であって、
ａ）第一哺乳動物対象からの試料中のポリペプチドの発現のレベルを測定し、および
ｂ）工程（ａ）の試料中の当該ポリペプチドの発現を、当該疾患を有しない、または素因がないと知られる第二哺乳動物対象からの対照試料中に存在するポリペプチドの発現と比較する、
ことを含み、ここで対照試料と比較したときの第一対象におけるポリペプチドの発現のレベルの変更が、当該疾患の存在または素因を指摘する、方法。
【請求項１１】
請求項１のポリペプチドに結合する剤を同定する方法であって、
（ａ）当該剤に当該ポリペプチドを導入する、および
（ｂ）当該剤が当該ポリペプチドに結合するか否か決定する
ことを含む方法。
【請求項１２】
該剤が細胞レセプターまたは下流エフェクターである、請求項１１の方法。
【請求項１３】
病理の処置における潜在的治療剤を同定する方法であって、ここで該病理が請求項１のポリペプチドの異常発現または異常生理学的相互作用に関連し、該方法は、
（ａ）請求項１のポリペプチドを発現する、かつ該ポリペプチドに帰すべき特性または機能を有する細胞を提供する、
（ｂ）該細胞を、候補物質を含む組成物と接触させる、および
（ｃ）該物質が該ポリペプチドに帰すべき特性または機能を変更するか否か決定することを含み、
それによってもし、細胞が物質の不存在下で組成物と接触されるとき、該物質の存在下で観察される変更が、観察されないならば、該物質は潜在的治療剤として同定される、方法。
【請求項１４】
請求項１のポリペプチドに連関する病理の活性または潜在活性のモジュレーターまたは素因をスクリーニングす方法であって、当該方法は、
（ａ）試験化合物を、請求項１のポリペプチドと連関する病理の増加リスクにある、試験動物に投与し、ここで当該試験動物は請求項１のポリペプチドを組み換え的に発現する、
（ｂ）工程（ａ）の化合物の投与後、当該試験動物における当該ポリペプチドの活性を測定する、および
（ｃ）当該試験動物における当該ポリペプチドの活性を、当該ポリペプチドを投与されていない対照動物における当該ポリペプチドの活性と比較し、ここで当該対照動物について当該試験動物における当該ポリペプチドの活性の変化が、試験化合物が請求項１のポリペプチドと連関する病理の活性または潜在活性のモジュレーターまたは素因であることを指摘する、方法。
【請求項１５】
当該試験動物が、試験タンパク質トランスジーンを発現するか、または野生型試験動物についての増加レベルでプロモーターの制御下に当該トランスジーンを発現する組み換え試験動物であり、ここで、当該プロモーターが当該トランスジーンの本来の遺伝子プロモーターではない、請求項１４の方法。
【請求項１６】
請求項１のポリペプチドの活性を調節する方法であって、該方法は請求項１のポリペプチドを発現する細胞試料を、該ポリペプチドの活性を調節するに十分量で、当該ポリペプチドに結合する化合物と接触させることを含む方法。
【請求項１７】
請求項１のポリペプチドと連関する病理を処置または予防する方法であって、該方法は、請求項１のポリペプチドを、そのような処置または予防が望まれる該対象に、対象における病理を処置または予防するのに十分量で投与することを含む方法。
【請求項１８】
該対象がヒトである請求項１７の方法。
【請求項１９】
哺乳動物の病理学的状態を処置する方法であって、該方法は、病理学的状態を緩和するのに十分である量で、哺乳動物にポリペプチドを投与することを含み、ここで該ポリペプチドは配列番号２ｎからなる群より選択されるアミノ酸配列またはその生物学的活性フラグメントを有するポリペプチドであり、ここでｎは１ないし８８の整数である、方法。
【請求項２０】
配列番号２ｎ−１からなる群より選択される核酸配列を含む単離核酸分子であって、ｎは１ないし８８の整数である、分子。
【請求項２１】
天然に存在する、請求項２０の核酸分子。
【請求項２２】
核酸分子であって、該核酸分子は、配列番号２ｎ−１からなる群より選択される核酸配列と単一ヌクレオチド異なり、ここでｎは１ないし８８の整数である、分子。
【請求項２３】
配列番号２ｎからなる群より選択されるアミノ酸配列を有するポリペプチドの成熟型をコードする単離核酸分子であって、ここでｎは１ないし８８の整数である、分子。
【請求項２４】
配列番号２ｎ−１からなる群より選択される核酸を含む単離核酸分子であって、ここでｎは１ないし８８の整数である、分子。
【請求項２５】
請求項２０の核酸分子であって、当該核酸分子は、配列番号２ｎ−１からなる群より選択されるヌクレオチド配列または当該ヌクレオチド配列の相補物にストリンジェント条件下でハイブリダイズし、ここでｎは１ないし８８の整数である、分子。
【請求項２６】
請求項２０の核酸分子を含むベクター。
【請求項２７】
当該核酸分子に作動可能に連結されるプロモーターをさらに含む請求項２６のベクター。
【請求項２８】
請求項２６のベクターを含む細胞。
【請求項２９】
請求項１のポリペプチドに免疫特異的に結合する抗体。
【請求項３０】
抗体がモノクローナル抗体である、請求項２９の抗体。
【請求項３１】
抗体がヒト化抗体である請求項２９の抗体。
【請求項３２】
試料中の請求項２０の核酸分子の存在または量を決定する方法であって、
（ａ）当該試料を提供し
（ｂ）当該試料を、当該核酸分子に結合するプローブに導入し、および
（ｃ）当該核酸分子に結合する当該プローブの存在または量を決定する
ことを含み、これにより当該試料中の核酸分子の存在または量を決定する、方法。
【請求項３３】
核酸分子の存在または量が、細胞または組織型についてのマーカーとして使用される請求項３２の方法
【請求項３４】
該細胞または組織型が癌性である請求項３３の方法。
【請求項３５】
第一哺乳動物対象における請求項２０の核酸分子の発現の変更レベルと連関する疾患の存在または素因を決定する方法であって、
ａ）該第一哺乳動物対象からの試料中の核酸の発現のレベルを測定する、および
ｂ）工程（ａ）の試料中の当該核酸の発現のレベルを、該疾患を有しないまたは素因がないと知られる第二哺乳動物対象からの対照試料に存在する核酸の発現のレベルと比較する
ことを含み、ここで該対照試料と比較した場合の第一対象における核酸の発現のレベルの変化が該疾患の存在または素因を指摘する方法。
【請求項３６】
請求項１のポリペプチドを生産する方法であって、該ポリペプチドの発現につながる条件下で細胞を培養することを含み、ここで当該細胞が配列番号２ｎ−１からなる群より選択される核酸配列を含む単離核酸分子を含むベクターを含み、ここでｎは１ないし８８の整数である方法。
【請求項３７】
該細胞が細菌細胞である、請求項３６の方法。
【請求項３８】
該細胞が昆虫細胞である請求項３６の方法。
【請求項３９】
該細胞がコウボ細胞である、請求項３６の方法。
【請求項４０】
該細胞が哺乳動物細胞である、請求項３６の方法。
【請求項４１】
請求項２のポリペプチドの生産方法であって、ポリペプチドの発現につながる条件下で細胞を培養することを含み、当該細胞が配列番号２ｎ−１からなる群より選択される核酸配列を含む単離核酸分子を含むベクターを含み、ここでｎが１ないし８８の整数である方法。
【請求項４２】
該細胞が細菌細胞である請求項４１の方法。
【請求項４３】
該細胞が昆虫細胞である請求項４１の方法。
【請求項４４】
該細胞が酵母細胞である請求項４１の方法。
【請求項４５】
該細胞が哺乳動物細胞である請求項４１の方法。